(57)【要約】【課題】開放操作時の操作力を軽減し得る開閉装置を備え、その開閉装置の部品点数を削減し得る間仕切り装置の開閉装置を提供する。【解決手段】移動框に操作ハンドル６のハンドル棒８を回動可能に支持し、操作ハンドルにはハンドル棒８の回動に基づいて移動框を対向面に対し回動させて、磁石の吸着を解除する解除手段１０を備え、操作ハンドルにはハンドル棒８を回動可能に支持する基台部７に線対称状に形成された一対の回動規制部１９ａ，１９ｂと、回動規制部に当接するまでの範囲でハンドル棒を回動可能とする回動規制板２０とを備え、回動規制板は基台部に対し裏表方向に入れ替えて取着することにより、ハンドル棒８の回動範囲を線対称状に変更可能とした。【選択図】図４
0003145050.tif 000002
【実用新案登録請求の範囲】
【請求項１】
ハンガーレールに沿って移動可能に支持した間仕切り部材の端部に移動框を回動可能に支持し、前記移動框を前記ハンガーレールに沿って移動させることにより前記間仕切り部材を引き出し及び畳み込み可能とし、前記間仕切り部材を引き出したとき該移動框をマグネットで対向面に吸着保持する間仕切り装置において、
前記移動框に操作ハンドルのハンドル棒を回動可能に支持し、前記操作ハンドルには前記ハンドル棒の回動に基づいて前記移動框を前記対向面に対し回動させて、前記マグネットの吸着を解除する解除手段を備え、前記操作ハンドルには前記ハンドル棒を所定角度の範囲で回動可能とする回動規制手段を設け、
前記回動規制手段は、前記ハンドル棒を回動可能に支持する基台部に線対称状に形成された一対の回動規制部と、前記ハンドル棒に固定されて、前記回動規制部に当接するまでの範囲でハンドル棒を回動可能とする回動規制板とを備え、
前記回動規制板は、前記基台部に対し裏表方向に入れ替えて取着することにより、前記ハンドル棒の回動範囲を線対称状に変更可能としたことを特徴とする間仕切り装置の開閉装置。
【請求項２】
前記回動規制板の周囲に一対の当接片を延設し、各当接片の両端部に回動規制板の回動に基づいて前記回動規制部に当接する係合端を形成し、前記係合端を回動規制板の回動中心に対し点対称状に形成したことを特徴とする請求項１記載の間仕切り装置の開閉装置。
【請求項３】
前記基台部には、該基台部を支点として前記ハンドル棒を原位置に向かって付勢する付勢手段を備えたことを特徴とする請求項１又は２記載の間仕切り装置の開閉装置。
【請求項４】
前記付勢手段は、一端が前記基台部に支持され、他端が前記回動規制板に取着された捩りコイルスプリングで構成したことを特徴とする請求項３記載の間仕切り装置の開閉装置。
【請求項５】
前記基台部に設けた支持孔で前記ハンドル棒に設けた軸部を回動可能に支持し、前記捩りコイルスプリングを前記軸部内に収容したことを特徴とする請求項４記載の間仕切り装置の開閉装置。
【考案の詳細な説明】
【技術分野】
【０００１】
この考案は、アコーデオンカーテンや折戸等の間仕切り装置の開閉装置に関するものである。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。このようなアコーデオンカーテンでは、操作框が壁面に当接するまでカーテン生地を引き出したとき、カーテン生地に作用する復元力により、操作框が後退して、壁面との間に隙間が生じる。
【０００３】
そこで、移動框と壁面にマグネットの吸着力を利用した固定装置が設けられ、移動框を壁面に当接するまで移動させれば、固定装置により操作框の後退を阻止して、カーテン生地を全閉状態に保持するようになっている。
【０００４】
このような固定装置を備えたアコーデオンカーテンでは、マグネットの吸着力を強くすると、操作框を壁面から引き離す際に大きな操作力が必要となる。一方、マグネットの吸着力を弱くすると、操作框を確実に保持することができない。そこで、十分な吸着力を確保しながら、操作框を壁面から容易に引き離し可能とすることが必要である。
【０００５】
特開２００３−２１４０１０号公報（文献１）、実開平７−１０３３２号公報（文献２）、特開昭５９−９６３７４号公報（文献３）には、ハンドルの回動操作に基づいてマグネットの磁極をずらすことにより、引き戸の開放操作時の操作力を軽減する構成が開示されている。また、特開平９−２５６６９３号公報（文献４）には、ハンドルの回動操作により、てこの作用で引き戸の開放操作時の操作力を軽減する構成が開示されている。また、実公昭５７−３０３９１号公報（文献５）にはアコーデオンカーテンをマグネットの吸着力により開放状態に保持し、把手の回動操作によりマグネットの吸着状態を解除する構成が開示されている。
【考案の開示】
【考案が解決しようとする課題】
【０００６】
文献１〜３に記載されているように、マグネットの磁極をずらすことにより、操作力を軽減する構成では、固定側のマグネット及び回動側のマグネットにＳ極及びＮ極を複数備えたマグネットを使用する必要があるため、コストが上昇するとともに、マグネットの取付時に磁極の相対位置を調整する必要があるため、組み立て作業が煩雑となる。
【０００７】
また、文献４では、マグネットの吸着を解除するための構成は開示されていない。文献５では、把手の回動操作によりマグネットをその吸着方向に沿って引き離すため、マグネットの吸着を解除するためにはマグネットの吸着力を超える力でマグネットと吸着枠とを引き離す必要がある。従って、把手を回動させるために大きな操作力が必要となる。
【０００８】
この考案の目的は、伸縮可能とした間仕切り部材を備え、吸着手段の吸着力に基づいて間仕切り部材を全閉状態に保持する間仕切り装置において、開放操作時の操作力を軽減し得る開閉装置を備え、その開閉装置の部品点数を削減することにある。
【課題を解決するための手段】
【０００９】
請求項１では、ハンガーレールに沿って移動可能に支持した間仕切り部材の端部に移動框を回動可能に支持し、前記移動框を前記ハンガーレールに沿って移動させることにより前記間仕切り部材を引き出し及び畳み込み可能とし、前記間仕切り部材を引き出したとき該移動框をマグネットで対向面に吸着保持する間仕切り装置において、前記移動框に操作ハンドルのハンドル棒を回動可能に支持し、前記操作ハンドルには前記ハンドル棒の回動に基づいて前記移動框を前記対向面に対し回動させて、前記マグネットの吸着を解除する解除手段を備え、前記操作ハンドルには前記ハンドル棒を所定角度の範囲で回動可能とする回動規制手段を設け、前記回動規制手段は、前記ハンドル棒を回動可能に支持する基台部に線対称状に形成された一対の回動規制部と、前記ハンドル棒に固定されて、前記回動規制部に当接するまでの範囲でハンドル棒を回動可能とする回動規制板とを備え、前記回動規制板は、前記基台部に対し裏表方向に入れ替えて取着することにより、前記ハンドル棒の回動範囲を線対称状に変更可能とした。
【００１０】
請求項２では、前記回動規制板の周囲に一対の当接片を延設し、各当接片の両端部に回動規制板の回動に基づいて前記回動規制部に当接する係合端を形成し、前記係合端を回動規制板の回動中心に対し点対称状に形成した。
【００１１】
請求項３では、前記基台部には、該基台部を支点として前記ハンドル軸を原位置に向かって付勢する付勢手段を備えた。
請求項４では、前記付勢手段は、一端が前記基台部に支持され、他端が前記回動規制板に取着された捩りコイルスプリングで構成した。
【００１２】
請求項５では、前記基台部に設けた支持孔で前記ハンドル棒に設けた軸部を回動可能に支持し、前記捩りコイルスプリングを前記軸部内に収容した。
【考案の効果】
【００１３】
本考案によれば、伸縮可能とした間仕切り部材を備え、吸着手段の吸着力に基づいて間仕切り部材を全閉状態に保持する間仕切り装置において、開放操作時の操作力を軽減し得る開閉装置を備え、その開閉装置の部品点数を削減することができる。
【考案を実施するための最良の形態】
【００１４】
以下、この考案を具体化した間仕切り装置の一実施の形態を図面に従って説明する。図１に示すアコーデオンカーテンは、パンタグラフ状に伸縮する骨組み１の前後両側に表面材２が取着されて本体部（間仕切り部材）が構成され、その骨組み１の一端の支軸１ａに移動框３が相対回動可能に取着され、他端の支軸１ｂに固定框４が相対回動可能に取着されている。
【００１５】
前記固定框４は壁面５に固定され、前記移動框３の前後両面における上下方向中央部には操作ハンドル６がそれぞれ取着されている。
そして、前記骨組み１が複数のランナーを介してハンガーレールに移動可能に吊下支持され、操作ハンドル６を操作することにより骨組み１及び表面材２をハンガーレールに沿って伸縮可能となっている。
【００１６】
図２及び図６に示すように、前記操作ハンドル６は前記移動框３に固定される基台部７にハンドル棒８の下端部が移動框３の移動方向に沿って回動可能に支持されている。前記ハンドル棒８は、移動框３の側面に対し湾曲した棒状に形成され、居住者が掴み易い形状となっている。また、ハンドル棒８及び基台部７は上下方向の中心線に対し線対称状に形成されている。
【００１７】
前記ハンドル棒８の下端には、図４に示すように、前記移動框３に対向する柱面（対向面）９に向かって突出する押圧部材１０が形成され、その押圧部材１０はゴム状の柔軟材で形成されている。前記押圧部材１０はハンドル棒８の下端部から移動框３の先端面の側縁部まで突出するように形成されている。
【００１８】
また、図２に示すように、ハンドル棒８が垂直方向に位置するとき、押圧部材１０は移動框３に当接して、ハンドル棒８の柱面９方向への回動を阻止するようになっている。
次に、前記基台部７にハンドル棒８を回動可能に支持するための構成を説明する。図４に示すように、基台部７の上下方向中央部には支持孔１１が形成されている。前記ハンドル棒８の下部には、支持孔１１に嵌挿可能とした軸部１２が形成されている。そして、軸部１２が支持孔１１に嵌挿されて、ハンドル棒８が支持孔１１を回動支点として回動可能に支持されている。
【００１９】
前記軸部１２の中心部には取付軸１３が形成され、その取付軸１３の中心部には、ネジ１４を螺入可能とした取付孔１５が形成されている。前記取付軸１３の周囲には、捩りコイルスプリング１６を挿入可能とした環状溝１７が形成され、その環状溝１７の外周側において軸部１２には係止突部１８が取付軸１３の軸方向に沿って突出されている。この係止突部１８は、ハンドル棒８を垂直方向としたとき、前記取付軸１３の上方に位置するように形成されている。
【００２０】
前記軸部１２の外周側において、前記基台部７には前記取付軸１３に向かって突出する一対の回動規制部（回動規制手段）１９ａ，１９ｂが基台部７の上下方向中心線に対し線対称状に形成されている。この回動規制部１９ａ，１９ｂは、支持孔１１の中心に対し、それぞれ６０度の範囲で形成されている。
【００２１】
前記環状溝１７内には捩りコイルスプリング（付勢手段）１６が挿入され、その捩りコイルスプリング１６の一端は基台部７に当接している。
前記取付軸１３の先端面には金属板で形成された回動規制板（回動規制手段）２０が固定されている。その回動規制板２０は、中央部にネジ１４を挿通するための透孔２１が形成され、その透孔２１に挿通したネジ１４を前記取付孔１５に螺入することにより、取付軸１３に固定される。
【００２２】
また、回動規制板２０には前記係止突部１８を嵌合可能とした係止孔２２が形成され、その係止孔２２に係止突部１８が嵌合された状態で取付軸１３に固定されている。係止孔２２は、回動規制板２０の上下方向の中心線Ｌに対し、線対称となるように形成されている。従って、回動規制板２０は取付軸１３と一体に回動するとともに、前記捩りコイルスプリング１６を環状溝１７内に保持するようになっている。
【００２３】
前記回動規制板２０には、前記透孔２１に対し前記係止孔２２の反対側に保持孔２３が前記中心線Ｌ上に形成され、その保持孔２３に前記捩りコイルスプリング１６の他端が保持されている。従って、ハンドル棒８の操作に基づいて取付軸１３が回転され、その取付軸１３の回動にともなって回動規制板２０が回転されると、捩りコイルスプリング１６が蓄勢されるようになっている。
【００２４】
前記回動規制板２０には、前記透孔２１の上方及び下方において、外周側に延設された当接片２４ａ，２４ｂが形成され、その当接片２４ａ，２４ｂの回動軌跡上に前記回動規制部１９ａ，１９ｂが位置している。そして、当接片２４ａの両端に回動規制部１９ａ，１９ｂに当接する係合端２５ａ，２５ｂが形成され、当接片２４ｂの両端に回動規制部１９ａ，１９ｂに当接する係合端２５ｃ，２５ｄが形成されている。
【００２５】
図３に示すように、ハンドル棒８が垂直状態に位置するとき、係合端２５ｂ，２５ｄが回動規制部１９ａ，１９ｂに当接し、係合端２５ａ，２５ｃと回動規制部１９ａ，１９ｂとの間には同一幅の間隙が確保される。この間隙は、透孔２１の中心に対しほぼ１５度の角度をなす範囲で生成される。
【００２６】
従って、図３に示す状態からハンドル棒８を矢印Ａ方向に１５度回動させると、図６に示すように、係合端２５ａ，２５ｃが回動規制部１９ａ，１９ｂに当接して、ハンドル棒８のそれ以上の回動が阻止されるようになっている。この回動方向は、移動框３を柱面９から引き離す方向に一致する。
【００２７】
また、ハンドル棒８を回動させると、回動規制板２０の回転にともなって捩りコイルスプリング１６が蓄勢される。従って、ハンドル棒８を手放すと、捩りコイルスプリング１６の付勢力によりハンドル棒８が図３に示す状態に復帰するようになっている。
【００２８】
なお、前記押圧部材１０と基台部７には、係合端２５ａ，２５ｃが回動規制部１９ａ，１９ｂに当接したとき、ハンドル棒８のそれ以上の回動を阻止するストッパ装置（図示しない）が設けられ、前記係止突部１８に過大なトルクが作用しないようになっている。
【００２９】
前記移動框３の後面に位置する操作ハンドル６は、押圧部材１０を除いて共通部品で構成される。すなわち、図７に示すように、回動規制板２０が裏表を入れ替えた状態で取着される点を除いて同様に構成される。
【００３０】
そして、係合端２５ｂ，２５ｄが回動規制部１９ａ，１９ｂに当接した状態から、同図に鎖線で示すようにハンドル棒８をほぼ１５度の範囲で回動可能となっている。この回動方向は、同様に移動框３を柱面９から引き離す方向に一致する。
【００３１】
図２に示すように、前記移動框３には柱面９との対向面にクッション材２６が嵌着され、柱面９との衝突による異音の発生を防止している。
また、前記操作ハンドル６の上方及び下方の少なくとも２箇所において前記クッション材２６が切除され、その切除部分にはマグネット（吸着手段）２７がそれぞれ嵌着されている。そして、マグネット２７の端面すなわち柱面９に対向する面にはヨーク板２８が露出されている。
【００３２】
図５に示すように、前記柱面９には前記各マグネット２７に対向する位置に磁性材にてなる吸着板２９が取着されている。そして、移動框３が柱面９近傍まで引き出されて、ヨーク板２８が吸着板２９に当接すると、マグネット２７の吸着力によりヨーク板２８が吸着板２９に吸着保持されるようになっている。
【００３３】
次に、上記のように構成されたアコーデオンカーテンの動作を説明する。
さて、アコーデオンカーテンを閉じる場合には、操作ハンドル６を操作して、移動框３を柱面９側に移動させる。すると、本体部が移動框３に追随して引き伸ばされながら移動する。このとき、操作ハンドル６のハンドル棒８は図２に示すように垂直に保持されている。
【００３４】
移動框３を柱面９に当接するまで移動させると、図５に示すように、ヨーク板２８が吸着板２９に吸着され、移動框３が柱面９に密接する状態に保持される。従って、この状態では表面材２及び骨組みの復元力に抗して本体部が全閉状態に保持される。
【００３５】
全閉状態にある本体部を開放する場合には、ハンドル棒８を本体部の開放方向すなわち図４に示す矢印Ａ方向に回動させる。すると、回動規制板２０の係合端２５ａ，２５ｃが回動規制部１９ａ，１９ｂに当接するまでの範囲でハンドル棒８が回動される。
【００３６】
ハンドル棒８が矢印Ａ方向に回動されると、押圧部材１０が柱面９に向かって移動して柱面９に当接するため、図８に示すように移動框３が支軸１ａを回動支点として回動される。
【００３７】
このような動作により、まず操作されたハンドル棒８に近い一方のヨーク板２８が吸着板２９から引き離され、次いで他方のヨーク板２８が吸着板２９から引き離される。
移動框３が吸着板２９から引き離された後は、操作ハンドル６の操作により移動框３をハンガーレールに沿って移動させれば、本体部が固定框４側に畳み込まれる。そして、移動框３を所望位置まで移動させた後にハンドル棒８を手放せば、捩りコイルスプリング１６の付勢力によりハンドル棒８は垂直方向に復帰する。
【００３８】
上記のように構成されたアコーデオンカーテンでは、次に示す作用効果を得ることができる。
（１）操作ハンドル６を操作することにより移動框３を移動させて、アコーデオンカーテンの本体部をハンガーレールに沿って引き出し、あるいは畳み込むことができる。
（２）移動框３に取着されたマグネット２７を柱面９の吸着板２９に吸着させることができるので、本体部を全閉状態まで引き出したとき、移動框３を柱面９に密接する状態に保持して、本体部を全閉状態に保持することができる。
（３）移動框３が柱面９に保持されている状態から本体部を開放するとき、操作ハンドル６の回動操作により、移動框３を柱面９に対し回動させて、マグネット２７のヨーク板２８を吸着板２９から順次引き離すことができる。従って、移動框３を柱面９から引き離すための操作力を軽減することができる。
（４）操作ハンドル６の回動操作により、てこの作用を利用して移動框３を柱面９に対し回動させることができる。従って、移動框３を柱面９から引き離すための操作力を軽減することができる。
（５）てこの作用を利用するので、操作ハンドル６を大型化することなく、移動框３を柱面９から引き離すための所要の操作力を確保することができる。従って、操作ハンドル６の大型化による美観の低下あるいはコストの上昇を防止することができる。
（６）移動框３の前後両面に取着される操作ハンドル６は、押圧部材１０を除いて共通部品で構成することができる。従って、部品点数を削減することができる。
（７）移動框３の前後両面に取着される操作ハンドル６において、回動規制板２０は裏表方向に入れ替えることにより、共通部品を使用することができる。
（８）操作ハンドル６の押圧部材１０を移動框３の近傍まで延設したので、柱面９の幅が狭い場合にも、押圧部材１０を柱面９に確実に当接させることができる。
（９）操作ハンドル６に内蔵された捩りコイルスプリング１６により、操作ハンドル６の不操作時にはハンドル棒８を垂直方向に自動的に復帰させることができる。
（１０）１つの磁極を備えたマグネット２７を移動框３のみに配設すればよく、その磁極の配置にはまったく制限がない。従って、組み立て作業を容易に行うことができる。
【００３９】
上記実施の形態は、以下の態様で実施してもよい。
・上記各実施の形態の操作ハンドルは、折戸に使用してもよい。
【図面の簡単な説明】
【００４０】
【図１】アコーデオンカーテンを示す平面図である。
【図２】操作ハンドルを示す斜視図である。
【図３】操作ハンドルを示す分解斜視図である。
【図４】移動框を示す平面図である。
【図５】操作ハンドルを示す背面図である。
【図６】操作ハンドルの動作を示す背面図である。
【図７】操作ハンドルの動作を示す背面図である。
【図８】移動框の動作を示す平面図である。
【符号の説明】
【００４１】
１…間仕切り部材（骨組み）、２…間仕切り部材（表面材）、３…移動框、６…操作ハンドル、７…基台部、８…ハンドル棒、９…対向面（柱面）、１０…解除手段（押圧部材）、１９ａ，１９ｂ…回動規制手段（回動規制部）、２０…回動規制手段（回動規制板）、１４…マグネット。
【図１】
0003145050.tif 000003
【図２】
0003145050.tif 000004
【図３】
0003145050.tif 000005
【図４】
0003145050.tif 000006
【図５】
0003145050.tif 000007
【図６】
0003145050.tif 000008
【図７】
0003145050.tif 000009
【図８】
0003145050.tif 000010